(57)【要約】【課題】  多数の固定されたギヤ比による段階的な変速をギヤ円周の四分の一のチェン駆動でギヤ径変更を許可する「クウォーターギヤ」式無段変速装置でスムーズな変速効果を得る。【解決手段】    二次側ギヤ３を中心に放射状にダブルギヤ１とアイドルギャ２ａ、２ｂ、２ｃとを配列して一次側ギヤで入力駆動するチェン４で連結して二次側ギヤ３とダブルギヤ１とをチェン５で連結して各チェン５とチェン４に各々テンションギヤを配した構成にしてダブルギヤ１とアイドルギャ２ａ、２ｂ、２ｃの扇状で放射状に同時可動させてギヤ径変更を図ったギヤ円周の四分の一のチェン駆動でギヤ径変更を許可する「クウォーターギヤ」式無段変速装置。【選択図】図１
2008121882.tif 000002
【特許請求の範囲】
【請求項１】
二次側ギヤ（３）中心に放射状に配列したダブルギヤ（１）とアイドルギャ（２ａ、２ｂ、２ｃ）とを一次側ギヤで噛み合うチェン（４）と連結し前記ギヤ（３）とダブルギヤ（１）とをチェン（５）で連結し該チェン（５）と前記チェン（４）に各々テンションギヤを配した構成でダブルギヤ（１）とアイドルギャ（２ａ、２ｂ、２ｃ）との放射状で扇状に同時可動せしめたギヤ円周四分の一のチェン駆動でギヤ径変更を許可する「クウォーターギヤ」式無段変速装置。
【発明の詳細な説明】
【発明の詳細な説明】
【技術分野】
【０００１】  本発明は、チェン及びベルト駆動に介在して無段階なギヤ径変更を許可する機構の無段変速装置に関する。
【背景技術】
【０００２】  従来のチェン及びベルト駆動での変速は固定されたギヤ径の違う複数のギヤを重ねて各ギヤ間のチェン移動で各ギヤを駆動して段階的な変速を得ている。
【発明が解決しょうとする課題】
【０００３】  従来のチェン及びベルト変速駆動ではチェン等の回転とともに各ギヤ軸中心でチェンが噛み合うギヤ歯わテコに、各ギヤ３６０度全周を駆動する機構になり、１つのギヤで各ギヤ比に応じたギヤ径変更が不可能であった。
【課題を解決するための手段】
【０００４】  上記目的を達成するために、従来のチェン及びベルトによるギヤ駆動においてチェンと噛み合う外周歯がギヤ円周のわずか四分の一程度のチェン駆動で、各ギヤ比を得た形のギャ駆動を十分に満たしていることを考慮して、シャーシ固定支持枠中心に二次側としたギヤを設けて、このギヤ軸中心でギヤ円周四分の一程度の面積（９０度程度）の前記シャーシ固定支持枠に一次側チェンと噛み合わせるダブルギヤと数個のアイドルギヤを放射状に設け、この一次側チェンと噛み合わせたダブルギヤの片側ギヤと中心のギヤとを二次側チェンで連結し、一次側チェンと噛み合うアイドルギヤとともに放射状で可動させるダブルギヤを駆動して、このダブルギヤに噛み合う二次側チェンで中心のギヤを駆動する、この駆動と放射状に可動させて得るダブルギヤ、アイドルギヤと中心のギヤ間の距離変更との連続駆動で行うものである。
【０００５】  そして、二次側中心のギヤを駆動するダブルギヤ放射状に可動させる際の二次側チェン拡張等を補正するテンションギヤを設けて補正を図り、同じく、中心のギヤで放射状に可動するダブルギヤと数個のアイドルギヤと噛み合わせた一次側チェンの拡張等をテンションギヤを設けて補正を図ることで、スムーズなダブルギヤ駆動と、前記ダブルギヤと二次側の中心のギヤ径の変更と駆動の複雑な双方の連続した駆動を得られるようにしたものである。
【０００６】  そして、中心のギヤに放射状に配列したダブルギヤと数個のアイドルギヤの可動は基本的に同時に且つ同じ距離移動を図ることで、常にスムーズな二次側のギヤ中心の扇形のギヤ形状を保って、二次側の無段階な可変駆動に当てるものであり、この二次側中心のギヤを入力側、一次側チェンを介した一次側ギヤを出力側とした駆動による可変駆動も容易である。
【０００７】  そして、このギヤ円周四分の一のチェン駆動でギヤ径変更を許可する無段変速装置の変速機構ロジックを要約して「クウォーターギヤ」と称するものである。
【発明を実施するための最良の形態】
【０００８】  発明の実施の形態を実施例にもとずき図面を参照して説明する。
図１において、１は可変を図る二つのギヤ一体のダブルギヤ、２ａ、２ｂ、２ｃはアイドルギヤ、３は二次側の中心のギヤ、４は一次側ギヤに噛み合い１のダブルギヤの片側ギヤと２ａ、２ｂ、２ｃのアイドルギヤとテンションギヤとに噛み合う一次側のチェン、５は１のダブルギヤと３のギヤとテンションギヤに噛み合う二次側のチェンである。【０００９】  まずは、一次側ギヤの回転入力によるチェン４を矢印方向に駆動してダブルギヤ１とアイドルギヤ２ａ、２ｂ、２ｃとテンションギヤを正方向に回転駆動し、同時にチェン４と噛み合うダブルギヤ１の片側ギヤに噛み合うチェン５が矢印方向に駆動して中心のギヤ３とテンションギヤの同正方向回転駆動するものである。
【発明の効果】
【００１０】  本発明は、以上説明したように構成されているので、以下に記載されるような効果を奏する。
【００１１】  本構成により、チェンのギヤ円周の四分の一に扇形で放射状に可動させるアイドルギヤ２ａ、２ｂ、２ｃとダブルギヤ１への一次側のチェン駆動と同時にダブルギヤ１の片側ギヤに噛み合わせた二次側チェンを介した中心のギヤ駆動機構のロジックにより、無段階なギヤ比に応じたギヤ径変更を可能にしたことで、自在な無段階変速を一括して図ることを容易にしたものである。
【００１２】  そして、図１での実線で画かれた二次側の中心のギヤ３を囲むダブルギヤ１の駆動時は、二次側のギヤ３とダブルギヤ１間の径が一次側ギヤの径より小さい域では、双方のギヤ比同等である域でのダブルギヤ１の駆動回転数より早くなってチェン５を介した二次側ギヤ３駆動は、一次側ギヤ入力回転より増速域を得る。
【００１３】  そして、図１での点線で画かれたダブルギヤ１とアイドルギャ２ａ、２ｂ、２ｃとが放射状で矢印方向最大域に可動せしめた域では、二次側ギヤ３とダブルギヤ１との径が一次側ギヤ径より大きくなって、双方のギヤ径が同等である域より一次側チェン４のダブルギヤ駆動速度が遅くなり、チェン５を介した二次側のギヤ３駆動速も遅くなる、このことで一次側ギヤ入力回転速度より減速域を得る。
【００１４】  そして、図では、中心のギヤ３を中心に放射状でダブルギヤ１とアイドルギャ２ａ、２ｂ、２ｃとの矢印方向の扇形可動手段での、各ギヤ軸を支持させるコアや、このコアを支持して放射状に可動できる溝穴式ガイドレールや、各ギヤ軸を支持させたコアの放射状可動させるラックアンドピニオン方式や油圧直動式、或いはワイヤーやチェン等による上部方向への引っ張る等の装置は、、説明便宜上省略してあり、図での各ギヤのギヤ歯は省略してあり、各ギヤの大小や、アイドルギャの個数やアイドルギヤのギヤ部のローラー変更、ダブルギヤの取り付き位置、各テンションの位置や掛け方機構等は実施において変化するものであり、ギヤ円周の四分の一以上でのチェン駆動ギヤ径（例えば１８０度）とした構成にしても、いずれにおいて本構成の基本的機構ロジックは同等であり、この変速装置を数個で連結駆動する構成とすると大きな変速効果を得ることができる。
【図面の簡単な説明】
【図１】  本発明のギヤ円周の四分の一のチェン駆動でギヤ径変更を許可する「クウォーターギヤ」式無段変速装置の一部省略した要約図である。
【符号の説明】
１                ダブルギヤ
２ａ、２ｂ、２ｃ  アイドルギヤ
３                ギヤ
４                チェン
５                チェン
【図１】
2008121882.tif 000003